(57)【要約】【課題】玩具本体の検出部と着脱部品の被識別部とを確実に当接させることができる動作玩具を提供すること。【解決手段】  複数の第１検出部を有する玩具本体と、種類に応じて位置関係が異なる被識別部を有する着脱部品とを有する動作玩具において、玩具本体と着脱部品との嵌合位置から装着位置まで動作する初期段階で玩具本体の第１係合部と着脱部品の第２係合部とが係合して、装着位置まで装着部品を案内し、且つ、装着位置で、被識別部を前記第１検出部へ当接させるとともに、装着状態を保持するように構成され、着脱部品には当接部が形成され、玩具本体には当接部による当接を検出する第２検出部が形成され、当接部と第２検出部とは、嵌合位置で当接し、制御部は、第２検出部で当接部と第２検出部との当接が検知された後に第１検出部で被識別部と第１検出部との当接が検知されたときに、着脱部品の種類に応じた動作をさせる。【選択図】図１
2018139743.tif 000002
【特許請求の範囲】
【請求項１】
制御部及び複数の第１検出部を有する玩具本体と、種類に応じて位置関係が異なる被識別部を有するとともに、前記玩具本体に着脱可能に構成された着脱部品とを有し、前記制御部が、前記着脱部品の装着位置で前記被識別部の前記第１検出部への当接によって検出される前記着脱部品の種類に応じた動作をさせるように構成された動作玩具において、
前記着脱部品は、前記玩具本体に対して嵌合する嵌合位置から嵌合方向とは異なる方向にある前記装着位置まで動作可能に構成され、
前記被識別部と前記第１検出部とは、前記装着位置で、当接するように構成され、
前記着脱部品には当接部が形成され、前記玩具本体には前記当接部による当接を検出する第２検出部が形成され、前記当接部と前記第２検出部とは、前記嵌合位置で当接し、
前記制御部は、前記第２検出部で前記当接部と前記第２検出部との当接と、前記第１検出部で前記被識別部と前記第１検出部との当接がこの順で検知されたときに、前記着脱部品の種類に応じた動作をさせることを特徴とする動作玩具。
【請求項２】
前記当接部と前記第２検出部とは、前記装着位置で当接を解除し、前記制御部は、この当接解除を条件に前記着脱部品の種類に応じた動作をさせることを特徴とする請求項１に記載の動作玩具。
【請求項３】
前記制御部は、前記着脱部品の装着を催促させ、催促した後に前記第２検出部で前記当接部と前記第２検出部との当接が検知された後に、前記当接部と前記第２検出部とが前記装着位置で当接を解除するとともに、前記第１検出部で前記被識別部と前記第１検出部との当接が検知されたときに、前記着脱部品の種類に応じた動作をさせることを特徴とする請求項２に記載の動作玩具。
【請求項４】
前記玩具本体には、複数の前記検出部が所定の軸線を中心とする円周方向に沿って１つずつ所定間隔で設けられ、前記着脱部品は、前記玩具本体に対して前記軸線を中心に前記嵌合位置と前記装着位置との間で回転可能に構成されていることを特徴とする請求項１から請求項３のいずれか一項に記載の動作玩具。
【発明の詳細な説明】
【技術分野】
【０００１】
本発明は動作玩具に関するものである。
【背景技術】
【０００２】
従来、玩具本体と、玩具本体に着脱可能な複数種の着脱部品とを有し、玩具本体に着脱部品が装着された際に、玩具本体の検出部によって着脱部品の被識別部の当接が検出されて着脱部品の種類が判別され、着脱部品の種類に応じて動作するように構成された動作玩具が知られている（例えば、特許文献１参照）。この玩具本体には、検出部が複数設けられ、着脱部品には、他の種類の着脱部品とは位置関係が互いに異なるように被識別部が設けられている。
【０００３】
そして、この動作玩具においては、着脱部品は玩具本体の凹部に差込み可能となっており、着脱部品を凹部に差し込み、被識別部を検出スイッチに当接させることによって着脱部品の種類を判別するように構成されている。
【先行技術文献】
【特許文献】
【０００４】
【特許文献１】特許第５４４４５３７号公報
【発明の概要】
【発明が解決しようとする課題】
【０００５】
しかしながら、着脱部品を凹部に差し込めば、被識別部が検出スイッチに当接するので、人が悪戯で指や鉛筆その他を差し込めば、検出スイッチが作動してしまい、誤動作が生じる虞があった。
本発明は、誤動作を防止することができる動作玩具を提供することを目的とする。
【課題を解決するための手段】
【０００６】
第１の手段は、
制御部及び複数の第１検出部を有する玩具本体と、種類に応じて位置関係が異なる被識別部を有するとともに、前記玩具本体に着脱可能に構成された着脱部品とを有し、前記制御部が、前記着脱部品の装着位置で前記被識別部の前記第１検出部への当接によって検出される前記着脱部品の種類に応じた動作をさせるように構成された動作玩具において、
前記着脱部品は、前記玩具本体に対して嵌合する嵌合位置から嵌合方向とは異なる方向にある前記装着位置まで動作可能に構成され、
前記被識別部と前記第１検出部とは、前記装着位置で、当接するように構成され、
前記着脱部品には当接部が形成され、前記玩具本体には前記当接部による当接を検出する第２検出部が形成され、前記当接部と前記第２検出部とは、前記嵌合位置で当接し、
前記制御部は、前記第２検出部で前記当接部と前記第２検出部との当接と、前記第１検出部で前記被識別部と前記第１検出部との当接がこの順で検知されたときに、前記着脱部品の種類に応じた動作をさせることを特徴とする。
【０００７】
第２の手段は、第１の手段において、前記当接部と前記第２検出部とは、前記装着位置で当接を解除し、前記制御部は、この当接解除を条件に前記着脱部品の種類に応じた動作をさせることを特徴とする。
【０００８】
第３の手段は、第２の手段において、前記制御部は、前記着脱部品の装着を催促させ、催促した後に前記第２検出部で前記当接部と前記第２検出部との当接が検知された後に、前記当接部と前記第２検出部とが前記装着位置で当接を解除するとともに、前記第１検出部で前記被識別部と前記第１検出部との当接が検知されたときに、前記着脱部品の種類に応じた動作をさせることを特徴とする。
【０００９】
第４の手段は、第１の手段から第３の手段のいずれか一の手段において、前記玩具本体には、複数の前記検出部が所定の軸線を中心とする円周方向に沿って１つずつ所定間隔で設けられ、前記着脱部品は、前記玩具本体に対して前記軸線を中心に前記嵌合位置と前記装着位置との間で回転可能に構成されていることを特徴とする。
【発明の効果】
【００１０】
第１の手段によれば、当接部と第２検出部との当接と、被識別部と第１検出部との当接とがこの順序でなされた場合に、被識別部の位置関係に応じた動作をさせるので、誤動作を防止することができる。なお、当接部と第２検出部との当接と、被識別部と第１検出部との当接とがこの順序で且つ連続してなされない場合、誤動作として処理することが好ましい。
【００１１】
第２の手段によれば、当接部と第２検出部とは、装着位置で当接を解除し、この当接解除を条件に被識別部の位置関係に応じた動作をさせるので、より誤動作を防止することができる。
【００１２】
第３の手段によれば、着脱部品の装着を催促した後に第２検出部で当接部と第２検出部との当接が検知された後に、当接部と第２検出部とが装着位置で当接を解除するとともに、第１検出部で被識別部と第１検出部との当接が検知されたときに、被識別部の位置関係に応じた動作をさせるので、さらに、誤動作を防止することができる。
【００１３】
第４の手段によれば、回転によって着脱部品を簡単に装着することができる。
【図面の簡単な説明】
【００１４】
【図１】本発明の動作玩具の一実施形態を示した正面図である。
【図２】本実施形態の動作玩具の玩具本体の一部を拡大して示した斜視図である。
【図３】本実施形態の動作玩具の着脱部品を示した斜視図である。
【図４】本実施形態の動作玩具の着脱部品の裏面図である。
【図５】本実施形態の動作玩具の玩具本体の制御構成を示したブロック図である。
【図６】本実施形態の動作玩具の動作テーブルを示した図である。
【図７】本実施形態の動作玩具の動作を示したフローチャートである。
【発明を実施するための形態】
【００１５】
以下、本発明の動作玩具を図面に示した実施形態に基づいて説明する。
【００１６】
（全体構成）
図１に示すように、この動作玩具１００はタクトとして構成されている。この動作玩具１００は、玩具本体１０と、ジュエルを模した着脱部品５０とを備えている。着脱部品５０は複数種類用意されており、その中の1つを選択して玩具本体１０に装着することで、動作玩具１００は、装着した着脱部品５０の種類に応じて動作を行うように構成されている。
【００１７】
（玩具本体１０）
玩具本体１０は、下半部を構成する円柱状のグリップ１１と、上半部を構成する装飾部１２とを備えている。このうち装飾部１２は羽根の上にトーン記号を乗せた形状を有している。特に限定はされないが、装飾部１２の中のトーン記号部分の外郭は半透明となっている。このトーン記号部分の上部、中間部、下部に後述するフルカラーの発光ダイオード６１ａ，６１ｂ，６１ｃが設けられている。
グリップ１１内には電池収容部（図示せず）が形成され、グリップ１１の裏側の蓋（図示せず）を開けて動作玩具１００の電源となる電池の装着や交換が行えるようになっている。また、グリップ１１の前面には決定ボタン１１ａが設けられている。
【００１８】
また、グリップ１１と装飾部１２との間には、グリップ１１の軸線と直交し前後方向に延在する軸線を有する円柱部１３が設けられている。円柱部１３の周面右側には電源スイッチを兼ねるモード選択スイッチ１４が設けられている。このモード選択スイッチ１４はスライド式であり、上下方向中間位置にあるときには電源オフの状態であり、上方に操作したときには第１モードとなり、下方に操作したときには第２モードとなる。第１モードはユーザによらずに自動に演出等するモードであり、第２モードはユーザの選択によって進められるモードである。この場合の選択肢はコンサートと占いである。
【００１９】
図２に示すように、円柱部１３の前端面には着脱部品５０の装着部１５が形成されている。装着部１５には円形の凹部１６が形成され、凹部１６の底面には、中央に環状のリブ１７が形成され、リブ１７の周囲には円周方向に沿って圧子１８ａ，１８ｂ，１８ｃ，１８ｄ，１８ｅ，１８ｆが等間隔に設けられている。圧子１８ａ，１８ｂ，１８ｃ，１８ｄ，１８ｅ，１８ｆの上面の一方側には後述の被識別部５９が摺接し易いように斜面が形成されている。圧子１８ａ，１８ｂ，１８ｃ，１８ｄ，１８ｅ，１８ｆの下方には各圧子に対応して検出スイッチ（第１スイッチ）が設けられており、圧子１８ａ，１８ｂ，１８ｃ，１８ｄ，１８ｅ，１８ｆの全部又は一部が後述の被識別部５９で押圧されることで、対応する検出スイッチのアクチュエータが動作する。この検出スイッチはモーメンタリ動作を行う。第１スイッチと圧子１８ａ，１８ｂ，１８ｃ，１８ｄ，１８ｅ，１８ｆは第１検出部を構成している。また、凹部１６の周壁内側には、ボタン１８ｆ，１８ａの中間部に相当する部分の外側に圧子１９が設けられている。圧子１９の下方には検出スイッチ（第２スイッチ）が設けられており、圧子１９が押圧されることで、検出スイッチのアクチュエータが動作する。この検出スイッチはモーメンタリ動作を行う。第２スイッチと圧子１９は第２検出部を構成している。さらに、凹部１６の周壁内側には凹部１６の中心線（軸線）を挟んで対峙する２つの位置のそれぞれに内側に突出する係止片（第２係合部）２０ａが設けられている。２つの係止片２０ａの大きさは僅かに異なっている。
【００２０】
（着脱部品）
図３に示すように、着脱部品５０は、円盤状部分５１と、円盤状部分５１から突出した突片５２とを備え、全体が表面側から見て音符を模した形となっている。図４に示すように、円盤状部分５１の裏面の外周部には環状壁５３が形成されている。この環状壁５３は、第２スイッチの圧子１９に当接可能な当接部を構成し、着脱部品５０が第１位置で玩具本体１０に突き合わせられた際に圧子１９に当接する。この環状壁５３には欠損部５４が１つ形成されている。この欠損部５４では、第２スイッチの圧子１９と環状壁５３との当接が解除される。なお、環状壁５３の代わりに孤状の壁を設けてもよい。
また、環状壁５３の外周には円盤状部分５１の外周側及び下面側に開口する２つの凹部５５が２つ形成されている。２つの凹部５５は円盤状部分５１の中心を挟んで互いに対峙する位置に形成されている。２つの凹部５５は上記の２つの係止片２０ａに１対１で対応し、２つの係止片２０ａを受容する。なお、２つの凹部５５の大きさは、２つの係止片２０ａに対応して僅かに異なっている。そして、２つの凹部５５と２つの係止片２０ａとが嵌まり合った第１位置（嵌合位置）で、環状壁５３と第２スイッチの圧子１９とが当接される。
また、図３に示すように、円盤状部分５１の外周には上記凹部５５に連通する２つの溝５６が形成されている。この溝５６の壁は第１係合部を構成している。各溝５６の壁は各係止片２０ａと係合可能となっており、係合状態で着脱部品５０を所定方向に回転させた際に、着脱部品５０を第１位置（嵌合位置）から第２位置（装着位置）まで導き、第２位置を保持可能となっている。
さらに、円盤状部分５１の裏面には、環状壁５３に囲まれた部分に、圧子１８ａ，１８ｂ，１８ｃ，１８ｄ，１８ｅ，１８ｆに対応する被識別部形成領域５８が設けられている。各被識別部形成領域５８には、着脱部品５０の種類に応じて位置関係が異なるように円柱状の被識別部５９が適宜設けられている。位置関係が異なるとは、被識別部５９の数及び／又は位置が異なることを言う。図４には被識別部形成領域に形成された被識別部５９が黒丸で示されている。
【００２１】
（制御構成）
図５は、動作玩具１００の制御構成を示すブロック図である。図３に示すように、動作玩具１００は、モード選択スイッチ１４、決定ボタン１１ａ、第１スイッチＳＷ１（計６個あるが１つだけを代表して示す。）、第２スイッチＳＷ２、発光ダイオード６１ａ，６１ｂ，６１ｃ、静電センサ６２、記憶部６３、音出力部６４、制御部６５及び赤外線受光部６６を備える。
【００２２】
モード選択スイッチ１４は、第１モードか第２モードを選択するものであり、モードの選択と同時に電源が投入される。このモード選択スイッチ１４は、モード選択に応じた信号を制御部６５に出力する。音出力部６４は、例えばスピーカや圧電ブザー等で実現され、制御部６５から入力される音信号をもとにセリフや楽音そしてＢＧＭの音等を出力する。また、静電センサ６２は、装飾部１２に配設されており、ユーザが手で装飾部１２の裏側を撫でたりしたことを検知する。第２モードでは、装飾部１２の裏側を撫でることで、コンサートか占いかの選択肢が音声で与えられ、決定ボタン１１ａを押すことでコンサートか占いのプレイが進行する。赤外線受光部６６はライブ等の会場で外部から発せられる赤外線を受光する。この赤外線受光部６６は、受光信号に応じた信号を制御部６５に出力する。
【００２３】
記憶部６３は、更新記録可能なフラッシュメモリ等のＲＯＭやＲＡＭといった各種ＩＣメモリ、メモリカード等の情報記録媒体およびその読取装置等によって実現されるものである。この記憶部には、動作玩具１００を動作させ、この動作玩具１００が備える種々の機能を実現するためのプログラムや、このプログラムの実行中に使用されるデータ等が予め格納されて適宜更新され、或いは処理の都度一時的に格納される。その一例を言えば、記憶部には、動作プログラム、動作データとが格納される。動作データには、動作テーブルが含まれる。
【００２４】
図６は第１モードにおける動作テーブルを示している。
この演出動作テーブルにおいては、１行目に着脱部品５０の種類、２行目に被識別部５９の位置関係、３行目に色演出１、４行目にセリフ、５行目に色演出２、６行目に楽音が示されている。ここで、色演出１はセリフを出力する際に発光ダイオード６１ａ，６１ｂ，６１ｃが発する光の色であり、色演出２は楽音を出力する際に発光ダイオード６１ａ，６１ｂ，６１ｃが発する光の色である。
着脱部品５０はその種類に応じて例えばジュエル名が付されている。２行目の被識別部５９の位置関係は６桁の数で表されている。各桁は被識別部５９の配置場所を表している。１桁目は圧子１８ａに対応する場所、２桁目は圧子１８ｂに対応する場所、３桁目は圧子１８ｃに対応する場所、４桁目は圧子１８ｄに対応する場所、５桁目は圧子１８ｅに対応する場所、６桁目は圧子１８ｆに対応する場所を示している。また、各桁の「１」は被識別部有りの場合、「０」は被識別部無しの場合を示している。
このように、実施形態の場合、着脱部品５０は、他の種類の着脱部品５０と色演出１、セリフ、色演出又は楽音の少なくとも１つを異ならしめている。
【００２５】
制御部６５は、ＣＰＵ等で実現され、各部から入力される入力信号や記憶部に格納されるプログラムやデータ等をもとに、動作玩具１００を構成する各部への指示等を行って動作玩具１００の動作を統括制御する。
【００２６】
（動作）
次に、第１モードが選択された場合を例に、動作玩具１００の動作を図７に示すフローチャートに基づいて説明する。
モード選択スイッチ１４を第１モードにすると電源が投入されるとともに、音出力部６４からオープニングの楽曲が流れるとともに発光ダイオード６１ａ，６１ｂ，６１ｃが所定の光を発する（ステップＳ１）。そして、音出力部６４から着脱部品５０の装着を促す音声が流れる（ステップＳ２）。
その後、着脱部品５０を第１位置（嵌合位置）で玩具本体１０に突き合わせると、環状壁５３により圧子１９が押圧されて第２スイッチＳＷ２がＯＮされる（ステップＳ３でＹＥＳ）。この信号は制御部６５に送られる。一方、環状壁５３により圧子１９が押圧されずスイッチＳＷ２がＯＦＦを維持するときにはステップ２に戻り、音出力部６４から着脱部品の装着を促す音声が流れる。この場合、間隔をおいて所定回数繰り返して装着を催促するか、所定時間経過するかしたら、環状壁５３により圧子１９が押圧されないときには電源をＯＦＦしてもよい。
次に、第２スイッチＳＷ２がＯＮされた後に着脱部品５０を所定方向に回転させて第２位置（装着位置）に至ると、環状壁５３による圧子１９の押圧が解除され第２スイッチＳＷ２がＯＦＦされる一方で、一の着脱部品５０の被識別部５９の全てが対応する圧子１８（１８ａ，１８ｂ，１８ｃ，１８ｄ，１８ｅ，１８ｆの全部又は一部）に同時に当接されて、対応するスイッチＳＷ１がＯＮする（ステップＳ４でＹＥＳ）。これにより、装着完了が検知されるとともに、第１スイッチＳＷ１からの信号に基づいて、識別部品５０の種類が判別される。そして、識別部品５０の種類に応じた演出がなされる（ステップＳ５）。具体的には、セリフが音出力部６４から発せられると同時に発光ダイオード６１ａ，６１ｂ，６１ｃの発光により第１色演出がなされる。その後に、識別部品５０の種類に応じた楽音が音出力部６４から発せられると同時に発光ダイオード６１ａ，６１ｂ，６１ｃの発光により第２色演出がなされる。なお、第２スイッチＳＷ２がＯＮされた後に第２スイッチＳＷ２のＯＦＦ及び第１スイッチＳＷ１のＯＮがされないときにはステップＳ４を繰り返す。この場合、間隔をおいてステップＳ４を所定回数繰り返すか、所定時間経過するかしたら、電源をＯＦＦしてもよい。
【００２７】
また、ライブ会場等に行ったときには、例えば所定の位置関係の被識別部５９を持ったプレミアムの着脱部品５０が配られ、オープニング後の着脱部品５０の催促の後、その着脱部品５０を玩具本体１０に装着すると、赤外線受光部６６が作動して外部から赤外線による制御信号を受光し、ライブの楽曲に合わせて発光ダイオード６１ａ，６１ｂ，６１ｃが発光する。なお、ライブの楽曲に合わせて所定の音を出力してもよい。
【００２８】
なお、第２モードのときにも、装着した着脱部品５０に応じたコンサートや占いを進行することが好ましいが、第２モードでは、装着した着脱部品５０に関わらない共通の所定のコンサートや占いを進行させてもよい。
【００２９】
（実施形態の効果）
本実施形態によれば、次のような作用効果を奏する。
係止片２０ａと溝５６の壁とによって第１スイッチＳＷ１のアクチュエータの押圧状態が確実に維持される。
また、第２スイッチＳＷ２がＯＮされた後に第１スイッチＳＷ１がＯＮされないと動作しないため、誤動作の防止が図れる。
さらに、第２スイッチＳＷ２がＯＮされた後に第２スイッチＳＷ２がＯＦＦされるとともに第１スイッチＳＷ１がＯＮされないと動作しないため、より誤動作の防止が図れる。
【００３０】
（発明の変形例）
以上、本発明の実施形態について説明したが、本発明は、かかる実施形態に限定されるものではなく、発明の要旨を変更しない範囲で種々変形可能であることは言うまでもない。
例えば、実施形態の場合、着脱部品５０は、他の種類の着脱部品５０と第１演出色、セリフ、第２演出色又は楽音の少なくとも１つを異ならしめているが、その他の種類の演出を変更してもよい。
【００３１】
また、実施形態の場合、着脱部品５０は、他の種類の着脱部品５０と第１演出色、セリフ、第２演出色又は楽音の少なくとも１つを異ならしめているが、着脱部品５０の種類に基づいて特定演出の出現確率を変動させるようにしてもよい。
【００３２】
さらに、実施形態の場合、第１スイッチ及び第２スイッチはノーマルオープンのスイッチとしたが、ノーマルクローズのスイッチにも適用できる。
【符号の説明】
【００３３】
１０   玩具本体
１３   円柱部
１５   装着部
１８ａ，１８ｂ，１８ｃ，１８ｄ，１８ｅ，１８ｆ   圧子
１９   圧子
２０ａ 係止片（第２係合部）
５０   着脱部品
５６   溝（第１係合部）
１００ 動作玩具
ＳＷ１ スイッチ（第１検出部）
ＳＷ２ スイッチ（第２検出部）
【図１】
2018139743.tif 000003
【図２】
2018139743.tif 000004
【図３】
2018139743.tif 000005
【図４】
2018139743.tif 000006
【図５】
2018139743.tif 000007
【図６】
2018139743.tif 000008
【図７】
2018139743.tif 000009